(57)【特許請求の範囲】
【請求項１】
アームレスト付きまたは無しの座席支持家具であって、
スタンド（２４）と、
少なくとも１つの水平軸（２６）周りに旋回可能となるようにスタンド（２４）上に配置された座席支持体（１４）とを含み、
座席支持体（１４）は、水平軸（２６）の周りの旋回運動の第１の端部位置（１２ａ）において実質的に水平な平面内に配置された座面（１６）を有し、
旋回運動の第２の端部位置（１２ｂ）の座面（１６）は水平面に対して横断的に配置され、
座席支持体（１４）は、座面（１６）から離間した座席支持体（１４）の側部に配置された支持面（２０）を有し、
スタンド（２４）は、伸長可能な停止機構（３８）を有し、伸長可能な停止機構（３８）は、所定の高さから作動可能であり、
停止機構（３８）は、座席支持体（１４）上の垂直方向の力によってトリガされ、スタンド（２４）に取り付けられた可動キャスターシステム（３６）をブロックし、
ばね（２８）の第１の端部（３０ａ）が、スタンド（２４）に取り付けられ、
ばね（２８）の第２の端部（３０ｂ）が、座席支持体（１４）に取り付けられ、および
ばね（２８）が、座席支持体（１４）の水平軸（２６）周りの旋回運動を補助する、前記座席支持家具。
【請求項２】
ばね（２８）が、旋回運動の第２の端部位置（１２ｂ）の方向に座席支持体（１４）に予め張力を与えることを特徴とする、請求項１に記載の座席支持家具。
【請求項３】
旋回運動が、ロックを解除する機構によってトリガされ得ることを特徴とする、請求項１または２に記載の座席支持家具。
【請求項４】
ばね（２８）の第１の端部（３０ａ）が、スタンド（２４）に旋回可能に取り付けられ、ばね（２８）の第２の端部（３０ｂ）が、座席支持体（１４）に旋回可能に取り付けられることを特徴とする請求項１〜３のいずれか一項に記載の座席支持家具。
【請求項５】
それを介して第１の端部（３０ａ）がスタンド（２４）に取り付けられるばね（２８）の第１関節軸（３２ａ）と、それを介して第２の端部（３０ｂ）が座席支持体（１４）に取り付けられるばね（２８）の第２関節軸（３２ｂ）との少なくとも１つが、前記水平軸（２６）に平行に延びることを特徴とする請求項１〜４のいずれか一項に記載の座席支持家具。
【請求項６】
ばね（２８）の第１の端部（３０ａ）が、前記水平軸（２６）を通る水平面の下の水平なベース平面に取り付けられ、ばね（２８）の第２の端部（３０ｂ）が、前記水平軸（２６）を通る水平面の上の移動する水平な平面内に配置されている、請求項１〜５のいずれか一項に記載の座席支持家具。
【請求項７】
座席支持体（１４）の支持面（２０）の反対側に位置する一つの側部が背もたれ（１８）を形成していることを特徴とする、請求項１〜６のいずれか一項に記載の座席支持家具。
【請求項８】
座席支持体（１４）が、座面（１６）および支持面（２０）を補強して補剛する剛性荷重ベアリング構造を含むことを特徴とする、請求項１〜７のいずれか一項に記載の座席支持家具。
【請求項９】
座席支持家具が、第１の端部位置（１２ａ）および第２の端部位置（１２ｂ）の両方においてロック手段によってロック可能であり、それにより偶発的な旋回運動が防止されることを特徴とする、請求項１〜８のいずれか一項に記載の座席支持家具。
【請求項１０】
ばね（２８）が、座席支持体（１４）内に収容されていることを特徴とする、請求項１〜９のいずれか一項に記載の座席支持家具。
【請求項１１】
ばね（２８）が、ガスばねとして構成されていることを特徴とする、請求項１〜１０のいずれか一項に記載の座席支持家具。
【請求項１２】
スタンド（２４）が、ばねシステム（３４）によって高さ調節可能であることを特徴とする、請求項１〜１１のいずれか一項に記載の座席支持家具。
【請求項１３】
ばねシステム（３４）が、スタンド（２４）内に収容されていることを特徴とする、請求項１２に記載の座席支持家具。
【請求項１４】
カバー部（４２）が、座席支持体（１４）にスライド可能に取り付けられ、スライドされたカバー部（４２）によって伸長された背もたれ（１９）が形成されることを特徴とする、請求項１〜１３のいずれか一項に記載の座席支持家具。
【請求項１５】
カバー部（４２）のスライド運動が、旋回運動に連動されていることを特徴とする、請求項１４に記載の座席支持用家具。
【発明の詳細な説明】
【技術分野】
【０００１】
本発明は、座席支持コルプスを旋回させることによって提供される座面および支持面を示す座席支持コルプスを有する、アームレスト付きまたは無しの座席支持家具に関する。
【背景技術】
【０００２】
DE 20 2008 017 742 U1は、スタンドおよび少なくとも１つの座席支持コルプスを含む、座席支持家具を記載しており、少なくとも１つの座席支持コルプスは、少なくとも１つの水平軸周りに旋回可能であるようにスタンド上に配置される。この場合、スタンドは、スタンドを水平および垂直の両方の向きに変更することができるように、関節継手によって互いに接続された複数のセクションを含み、その結果、少なくとも１つの座席支持コルプスの位置の同時の調節を行うことができる。座席支持コルプスは、座面および支持面を備え、水平軸に沿った側面図において、ほぼ三角形状を有する。
【０００３】
座席支持コルプスの座面は、水平軸周りの旋回運動の第１の端部位置において、実質的に水平な平面内に配置され、座面は、旋回運動の第２の端部位置において、水平な平面に対して横断的に配置される。座席支持コルプスの支持面は、座面に隣接する座席支持コルプスの側部に配置される。この場合、座面と支持面は約４５°の角度をなす。上述の座席支持コルプスの調整に加えて、座席支持コルプスは、座面の代わりに使用者が支持面に面するように、例えば、使用者が立席のために使用できるように、水平軸周りを第２の端部位置に旋回させることができる。
【０００４】
したがって、座席支持コルプスは、前記使用者が座席支持コルプスに着座または寄りかかることができるように、使用者の身体およびニーズに可変的に調整され得る。不都合なことに、座席支持コルプスの調整には、複数の時間がかかる作業ステップが含まれ、それに加えて様々な可能な調整が、座席支持コルプスのほぼ無制限の数の可能な位置および向きになるため、使用者が適切な位置を見つけることが非常に困難である。
【０００５】
DE 10 2008 011 309 B3は、スタンドと座席支持コルプスとを含む回転可能で高さ調節可能な座席家具を開示し、座席支持コルプスはベース部分によってスタンドに接続されている。ばねの第１の端部は、ベース部分に関節接続されており、ばねは第２の端部を制御アーム装置に連結されており、制御アーム装置は座席支持コルプスに連結されている。座席支持コルプスは、ベース部分に取り付けられている制御アーム装置の水平軸周りに旋回可能に配置される。この場合、座席支持コルプスは、実質的に水平な平面内において水平軸周りの旋回運動の第１の端部位置に配置される座面を有する。
【０００６】
正のガイドによって、背もたれが座面に連結されることで、座面の動きが、正のガイドに沿って背もたれを第１の端部位置から第２の端部位置に変位させる。旋回運動または第２の端部位置への変位に続いて、座面は依然として実質的に水平な平面内に位置しており、この場合、背もたれは正のガイドによって時計回り方向に約３０度旋回されるため、使用者はリクライニングされた座位を採用することができる。座席支持コルプスが旋回されると、ばねが張力を受けるため、ばねは、座席支持コルプスの旋回運動を水平軸周りの第１の端部位置に戻すように支持する。
【０００７】
本発明の目的は、信頼性が高く、使い勝手の良い操作を可能にする、座面と支持面とを有するアームレスト付きまたは無しの座席支持家具に関する。
この目的は、独立請求項の特徴を有するアームレスト付きまたは無しの座席支持家具によって、本発明により解決される。
【発明の概要】
【０００８】
本発明の１つの態様によれば、スタンドおよび座席支持コルプスを有する、アームレスト付きまたは無しの座席支持家具が形成され、座席および支持コルプスは、少なくとも１つの水平軸周りに旋回可能なようにスタンド上に配置される。この場合、座席支持コルプスは、水平軸周りの旋回運動の第１の端部位置において実質的に水平な平面内に配置された座面を有し、旋回運動の第２の端部位置における座面は、水平な平面に対して横断的に配置される。
【０００９】
この場合、座席支持コルプスは、座面から離間して座席支持コルプスの側部に配置された支持面を有する。ばねの第１の端部はスタンドに取り付けられ、ばねの第２の端部は座席支持コルプスに取り付けられ、ばねは、座席支持コルプスの水平軸周りの旋回運動を支持する。
【００１０】
水平軸周りの旋回運動の第１の端部位置の座面が、実質的に水平な平面内に配置されるので、使用者はこの座面を従来のオフィスチェアのように使用することができる。有利には、座席支持コルプスの旋回運動に続いて、支持面は、支持面が、立位座（sit-standing）の目的のための座面の代替として使用者が支持面を使用できるような位置に配置される。第２の端部位置の座面は横断的に、好ましくは水平な平面にほぼ垂直に配置されているので、座面は床面方向においてスタンドに対して実質的に平行に配置され、したがって、立位座のために支持面に寄りかかった使用者を妨げることがない。
【００１１】
ばねの第１の端部がスタンド上に配置され、ばねの第２の端部が座席支持コルプス上に配置され、旋回運動が有利に支持されるので、使用者は旋回運動のために使用しなければならないのは少量の力であり、他方では、第１の端部位置に戻ってくる旋回運動も有利に減衰され、座席支持家具の構成要素は不必要な荷重を受けず、音響雑音が同時に減衰される。
【００１２】
ばねは、好ましくは、旋回運動の第２の端部位置の方向に座席支持コルプスに張力を与える。座席支持コルプスの主な焦点は、旋回運動の第２の端部位置の方向に予め張力を与えることにより、ばねが開放動作を有利に支持するように構成されているので、使用者は、旋回運動のためにより小さな力を加えなければならない。同時に、座席支持コルプスの第１の端部位置から第２の端部位置への制御されない旋回が減衰される。
【００１３】
ばねの第１の端部は、有利には、スタンドに旋回可能に取り付けられているので、ばねは、有利には、共旋回（co-pivotable）可能に取り付けられている。ばねをスタンドに旋回可能に取り付けることは、ばねの第１の端部が安定したスタンド上に有利に取り付けられることを意味し、したがって、座席支持コルプスの旋回運動の間に生じる圧縮力が不安定な部品を損傷することがなく、堅牢なスタンドによって吸収される。スタンドに対する第１のガイドの旋回可能な取り付けは、ばねが座席支持コルプスの旋回運動を支持または緩衝することを可能にする。座席支持コルプス上にトルクをかけるために、ばねの少なくとも１つの端部は、座席支持コルプスの外側に配置された部分に対して支持される。
【００１４】
ばねの第２の端部は、好ましくは、座席支持コルプスに旋回可能に取り付けられている。有利なことに、それによりばねを共旋回可能に配置することができ、バネの支持力作用は、追加の部品を使用することなく、旋回運動の間に座席支持コルプス上に直接伝達される。
【００１５】
ばねの少なくとも１つの関節軸は、好ましくは、水平軸に平行に延びている。それによって、座席支持コルプスの水平軸周りの旋回運動を支持するために、ばねによって発生したトルクを最適に使用できるという利点が達成される。
【００１６】
好ましい実施形態によれば、支持面および座面は、座席支持コルプス上で互いに一定の角度で配置される。このことから座席支持コルプスを一体的に構成することができ、それにより高い安定性を発揮するという利点がある。この高度の安定性は、座面だけでなく支持面も立位座中に使用者の体重を支えるので有利である。代替的に、座席支持コルプスを２つの部分に構成することも可能である。しかしながら、これは、座面と支持面とを堅固かつ安全に接続するための追加の部品を必要とする。
【００１７】
第１および第２の端部位置は、有利には、支持面と座面との間の角度に対応する旋回範囲を定める。一般的な規則として、着座と家具を支持する場合の座面と背もたれとの間の角度は約９０度である。この場合、背もたれは支持面の反対側に配置されているので、座面も支持面と約９０度の角度を形成する。
【００１８】
旋回範囲がこの角度に対応するという事実は、座面が第２の端部位置でスタンドの範囲に平行に配置されていることが有利に保証されることを意味し、使用者が立位座の間に支持面に寄りかかりたい場合、使用者の動きの範囲を阻害しない。さらに、旋回運動に続いて、座面および支持面は、旋回運動前の座面と実質的に同じ水平な平面内に配置されるため、使用者の荷重が小さなトルクでスタンドに導入されることが保証される。
【００１９】
水平軸は、好ましくはボールジョイントで実現され、ボールジョイントは座席支持コルプスの３次元移動を可能にする。座席支持コルプスの３次元運動は、有利には、使用者の腰部および臀部の筋肉を活性化し、その結果、筋肉が強化され、背中の損傷の可能性が回避される。
【００２０】
代替的に、水平軸は単一の旋回に受け入れられ、単一の旋回は水平軸周りの旋回運動を可能にする。単一の旋回は、有利には、水平軸周りの非常に安定した種類の旋回運動を保証し、旋回機構の堅牢性および耐久性を保証する。例えば、４旋回（four-pivot）機構によってさらに別の関節接続を提供することができる。
【００２１】
座席支持家具の好ましい実施形態によれば、ばねの第１の端部は、水平軸の近くに取り付けられる。これは、大きな旋回角度を可能にするには、ばねの小さなたわみでさえ十分であることを意味する。
【００２２】
ばねの第１の端部は、スタンドの通常の垂直軸の外側に配置されることが有利である。これにより、有利には、ばねの第１の端部を前記スタンドの外側でスタンドに取り付けることが可能になり、スタンド内に取り付ける必要がなくなり、これは、ばねが誤動作の際に容易に交換できることを意味する。
【００２３】
ばねの第１の端部は、好ましくは水平軸の外側に配置される。これにより、水平軸に関してばねによって発生したトルクにゼロ以外の長さのレバーアームが割り当てられるため、弾性力が水平軸周りの旋回運動を指示することが有利に達成される。
【００２４】
ばねの第１の端部は、好ましくは、水平軸の下のベース平面に取り付けられる。このようにして、トルクが水平軸に関して座席支持コルプス上に効果的に作用することが有利に保証される。
【００２５】
本発明のさらなる実施形態では、ばねの第２の端部は、支持面に近接して配置される。
【００２６】
ばねの第２の端部は、好ましくは水平軸の上方の移動する平面内に、好ましくはベース平面に平行に配置される。  ばねの第１の端部は、ベース平面の水平軸の下に配置され、ばねの第２の端部は、移動する平面内の水平軸の上に配置されるので、ばねは、使用者の第１の端部位置から第２の端部位置への旋回運動を支持すると同時に、ばねが水平軸に対して有効トルクを作用させるので、第２の端部位置から第１の端部位置への旋回運動を有利に減衰させる。この場合、旋回運動は、弾性力によって規定される旋回方向において起こる。
【００２７】
支持面の反対側の座席支持コルプスの一方の側は、有利には背もたれを形成する。これにより、使用者は、第１の端部位置でも、快適な位置で座席支持家具に寄りかかることができるという利点がある。
【００２８】
背もたれは、有利には、快適な態様で使用者の背中の形状に成形することができるように、凹状の形状を有する。
【００２９】
支持面および背もたれは、好ましくは異なる材料で覆われている。これにより、立位座に使用される支持面と、寄りかかりのために使用される背もたれが、ズボンのような下半身の衣類のニーズ、および、シャツまたはプルオーバーのような上半身の衣類に対する背もたれに特に適合した２つの異なる材料を有することができる。さらに、背もたれは、例えばマッサージ機能と共に構成することが可能である。有利には、支持面および背もたれは同一の材料で覆われていてもよい。
【００３０】
座面および支持面は有利には異なる材料で覆われている。このようにして、座面を例えば冬の寒い時期に好ましく使用される材料で覆い、支持面は、例えば、暑い夏の月に汗が使用者から迅速に取り除かれる、水分に対して特に透過性の材料で覆われている様にすることが有利に可能である。代替的に、支持面および座面は同一の材料で覆われている。
【００３１】
好ましい実施形態によれば、座席支持コルプスは、剛性荷重ベアリング構造を含み、荷重ベアリング構造は、座面および支持面を補強して補剛する。剛性荷重ベアリング構造は、安定した座席支持コルプスを有利に保証する。従来の椅子では、主荷重は座面によって支えられているのに対して、背もたれまたは支持面は使用者の体重の一部を収容するだけでよいため、剛性強化が低くされた設計を有することができる。
【００３２】
剛性荷重ベアリング構造は、使用者が座面または支持面のいずれかに重量を載せることが予想されるので、座面の補強と背もたれまたは支持面の補強の両方を有利に保証する。この目的のために、座面と支持面の両方が使用者の全重量を支えることができる。
【００３３】
荷重ベアリング構造は、好ましくは、角度ストラットを含む。使用者の自然な着座位置が実質的に角度の輪郭を有するので、角度ストラットは特に有利であり、これは角度ストラットが身体の構造を効果的に再現し支持することができることを意味する。
【００３４】
支持構造は有利には一体で構成されている。それにより、付加的な組立作業を省くことができるので、荷重ベアリング構造が迅速かつ費用効果的に製造されることが有利に保証される。代替的に、荷重ベアリング構造は、２つの部品または複数の部品で構成されてもよい。
【００３５】
座面および支持面は、好ましくは、同じ角度で同期して回転する。代替的に、座面は、支持面よりも小さい角度で回転し、その結果、スタンドとの衝突を防止することができる。
【００３６】
好ましい実施形態によれば、第１の端部位置と第２の端部位置との間の旋回運動中に生じる衝撃音は、可動構成要素の間に配置された緩衝器によって音響的に減衰させることができる。これにより、座席および支持家具の両方の構成要素が保護され、減衰が材料を保護することができ、椅子の旋回運動が可能な限り静かに行われるので、プレミアム品質の印象を与えるため、例えば、使用者が座席を旋回させて家具を第１の端部位置から第２の端部位置に戻して戻した場合でも、オフィスにおいて他のスタッフは邪魔されない。
【００３７】
旋回運動は、ロックを解除する機構によって有利にトリガされ得る。この機構は、使用者がセンサをトリガした後にロックを解除するノブ、レバーまたは電子デバイスのいずれかであってもよく、または別の明確なアクチュエータ信号が機構をトリガしてもよい。したがって、座席支持家具は、一端の位置から第２の端の位置へと偶然に旋回することが防止される。しかし、同時に、座席支持コルプスが明確な時点で自動的に旋回することも可能になる。代替的に、機構は、所望の位置に達するまで手動で作動させることもできる。この所望の位置は、終了位置の１つであっても、中間位置であってもよい。
【００３８】
支持面は、好ましくは、水平な平面内の第２の端部位置に配置される。これにより、支持面を使用者による快適な立位座に適するようにすることが可能になる。
【００３９】
好ましい実施形態によれば、支持面はわずかに凸の形状を有する。このわずかに凸の形状は、支持面が第２の端部位置での立位座に適し、支持面が底部領域における使用者の身体の構造に適合するようにすることを可能にする。代替的に、支持面は、実質的に平坦な平面を形成してもよい。
【００４０】
ばねは、好ましくは、ロック手段によってロック可能である。ばねは、第１の端部位置から第２の端部位置への旋回運動を支持し、第２の端部位置から第１の端部位置に戻る旋回運動を減衰させる。ばねをロックするロック手段を介して、支持または抑制が、使用者が誤ってではなく望むときのみに発生することが有利に保証される。第１の端部位置および第２の端部位置の両方において、それぞれの位置のロックおよび固定が保証され得る。代替的に、ばねを任意の中間位置にロックすることができる。
【００４１】
ロック手段は、アクチュエータヘッドによって有利に解除され得る。このアクチュエータヘッドは、一方では、使用者によって誤ってトリガされないように構成されていることが好ましいが、他方では、使用者が座席支持家具を旋回させたい場合にも容易に達することができる。この目的のために、座面から見て外方に向く座席支持コルプスの側部は、例えば、作動ボタンを受け入れるように設けられてもよい。
【００４２】
さらなる実施形態によれば、ばねは、座席支持コルプスに受け入れられる。これは、ばねが座席支持コルプスによって外部からの損傷から保護され、例えば、使用者の指が、ばねが関節接続されたジョイントの可動部分の間に接触し、それによって怪我をすることを防止する利点を有する。
【００４３】
座席支持家具の好ましい実施形態によれば、ばねはガスばねとして構成されている。ガスばねは、有利には、小さなばね経路を介して旋回運動を提供することができ；加えて、ガスばねは、ばね経路とは事実上独立した力を示す。代替的に、ばねは、らせん状のばね、角状のばね、脚状のばねまたは別の種類のばねとして構成されてもよい。
【００４４】
可動キャスターシステムは、好ましくはスタンドに取り付けられ、前記キャスターシステムは、例えば、オフィス内の座席支持家具を運ぶ必要をなくし、容易に移動させることができることを有利に保証する。
スタンドは、好ましくは、上述したばねとは独立したばねシステムによって高さ調節可能である。この場合、ばねシステムはより高い座面位置の方向に予め張力を与えられる。
【００４５】
既知のオフィスチェアの場合であっても、使用者のニーズに合わせて座席支持家具を調節するために、高さの調節可能性は重要な特徴である。
さらに、この場合、座席の位置が使用者に適合していても、座席支持家具は、使用者に快適な立位座位置を提供するために、第２の端部位置への旋回運動に続いて高さに関して再調整され得るのであり、これは、スタンド内の高さ調節可能なばねシステムによって有利に促進される。
【００４６】
ばねシステムは、有利にはスタンドに受け入れられる。これは、ばねシステムによって不要な空間が占有されず、ばねシステムが同時にスタンドによって覆われ、視覚的により魅力的な外観を創出することを意味する。さらに、ばねシステムを包囲することにより、例えば、ばねシステムの可動部分間に使用者の指が接触し、その結果として怪我することが防止される。
【００４７】
本発明の１つの態様によれば、アームレスト付きまたは無しの座席支持家具が作製され、この家具は、スタンドおよび座席支持コルプスを有し、座席支持コルプスは、少なくとも１つの水平軸周りで旋回できるようにスタンド上に配置される。座席支持コルプスは、実質的に水平な平面の水平軸周りの旋回運動の第１の端部位置に配置された座面を有し、座面は、水平な平面に交差する旋回運動の第２の端部位置に配置される。座席支持コルプスは、座席支持コルプスの側部に配置された支持面を有し、スタンドは、伸長可能な停止機構を有し、伸長可能な停止機構は、所定の高さから作動可能である。
【００４８】
伸長可能な停止機構は、可動キャスターシステムが取り付けられる座席支持家具を、例えば、座席支持家具の不慮の動きが防止されるように、床に確実に固定することができるという利点を有する。着座のために使用される第１の端部位置より高い立位座のための第２の端部位置においてのみ好ましくは使用されるべきであるため、伸長可能な停止機構は、所与の高さから作動可能であると有利である。座席支持家具の座席支持コルプスが、第１の終端位置にある場合、使用者は座面上に座り、したがって、現在のオフィスチェアと同様に、キャスターシステムによる座席支持家具の動きはなお望ましい。しかしながら、第２の端部位置での立位座の間、可動キャスターシステムがブロックされることが望ましい。これは停止機構によって達成される。
【００４９】
スタンドは、ばねシステムによって高さ調節可能であることが好ましく；これは、使用者が所望の位置を適用できることを保証する。この場合、ばねシステムはより高い座面位置の方向に予め張力を与えられているので、座席支持コルプスの重量を有利に打ち消すことができる。
【００５０】
好ましい発展では、ばねシステムは停止機構を示し、停止機構はばねシステムによって制御することができる。これにより、高さ調節可能なばねシステムが停止機構を同時に制御することで、キャスターシステムを固定するために追加の機構が必要ないことが有利に保証される。
停止機構は、好ましくは、座席支持コルプス上の垂直方向の力によってトリガされ、それにより、スタンドに取り付けられた可動キャスターシステムをブロックすることができる。
【００５１】
この垂直方向の力は、例えば立位座によって生成することができる。しかしながら、停止機構を作動させるために必要とされる垂直方向の力は、典型的な使用者の重量よりも実質的に小さいことが有利であり、これは例えば子供でも停止機構を容易に引き起こすことができることを意味する。
特に、加えられる垂直力は非常に小さいので、手で適度の圧力を加えて可動キャスターシステムをブロックすることによって停止機構をトリガすることができる。この場合、停止機構は、所定の高さからのみトリガすることができるように設定することができる。
【００５２】
ばねシステムの停止機構は、好ましくはロック可能であり、機構によってトリガすることができる。これは、有利には、停止機構が誤ってトリガされ、キャスターシステムによって座席支持家具を移動させることがないようにできることを保証する。これにより、使用者が、座席支持家具に寄りかかって、例えば、座席支持家具は力の下でたわみ、離れて移動するので、特定の状況下で使用者が負傷することが防止される。
【００５３】
停止機構の座面から見て外方に向く端部領域は、好ましくは、硬質ゴム、プラスチックまたは他の制動可能な材料のような制動可能な材料で覆われている。
【００５４】
本発明の１つの態様によれば、アームレスト付きまたは無しの座席支持家具が形成され、この家具は、スタンドおよび座席支持コルプスを有し、座席支持コルプスは、少なくとも１つの水平軸周りで旋回できるようにスタンド上に配置される。座席支持コルプスは、水平軸周りの旋回運動の第１の端部位置において、実質的に水平な平面内に配置された座面を有し、座面は、旋回運動の第２の端部位置において水平な平面に交差して配置される。
【００５５】
座席支持コルプスは、座面から離間した座席支持コルプスの一方の側に配置された支持面を有し、カバー部が座席支持コルプスに移動可能に取り付けられ、カバー部が座席支持コルプスに対して移動可能であるため、支持面から見て外方に向く座席支持コルプスの一方の側において、伸長された背もたれが伸長されたカバー部分によって形成され、前記背もたれの表面が座席支持コルプスとカバー部分から部分的に形成される。
【００５６】
これにより、支持面または背もたれが、第２の端部位置に立位座したときよりも、第１の端部位置に立位座したときに、より長い構成を有することが有利に可能になる。このようにして、支持面はより小さいレバーアームを有しているので、座席支持コルプスにかけられる荷重はそれほど厳しくない。さらに、背もたれは、ＤＩＮ規格ＥＮ１３３５−１：２００２−０８に準拠するか、またはオフィスチェアの背もたれの最小高さを満たすように構築することができる。
【００５７】
カバー部分は、好ましくは、運動学的なシステムを介して座席支持コルプスに連結され、この場合、運動学的な作動は、旋回運動に連結されてもよい。このようにして、カバー部分は、第１の端部位置から第２の端部位置への旋回運動中に、その伸張位置から収縮位置に自動的に移動することが可能である。運動機構は、例えば、４旋回運動学的システムであってもよい。本発明のさらなる利点、特性および開発は、従属請求項ならびに好ましい例示的実施形態の以下の記載に起因する。
【図面の簡単な説明】
【００５８】
本発明は、好ましい例示的な実施形態と共に、添付の図面を参照して以下により詳細に説明される。
【図１】図１は、側面図における第１の端部位置にある座席支持家具を示す。
【図２】図２は、伸長された停止機構を備えた第２の端部位置における側面図での図１の座席支持家具を示す。
【図３】図３は、第１の端部位置にある図１の座席支持家具の正面図を示す。
【図４】図４は、停止機構がまだ伸張されていない第２の端部位置にある図１の座席支持家具の正面図を示す。
【図５】図５は、停止機構が伸長された正面図におけるその第２の端部位置における図１の座席支持家具を示す。
【図６】図６は、部分的に伸長されたカバー部分を有する側面図における図１の座席支持家具を示す。
【図７】図７は、カバー部分が完全に伸長した側面図における図１の座席支持家具を示す。
【００５９】
図１は、側面視で第１の端部位置１２ａにある座席支持家具１０を示す。座席支持家具１０は、実質的に互いに垂直に立つ脚を有する正方形の形態に構成された座席支持コルプス１４を含む。同様に、従来のオフィスチェアの場合も同様である。座席支持コルプス１４は、使用者がその下の領域を寄りかからせることができる座面１６を含む。
【００６０】
座面１６がその上に配置される座席支持コルプス１４の表面上には、背もたれ１８が追加的に配置され、これに対して使用者の背部領域が寄りかかることができる。座席支持コルプス１４の上向きに湾曲した領域では、座面１６は、背もたれ１８にシームレスに変化する。この場合、座面１６の平面と背もたれ１８の平面は、約９０度の角度を形成する。座面１６は実質的に水平な平面に沿って伸びているのに対し、支持面２０は実質的に垂直な平面に沿って伸びている。
【００６１】
背もたれ１８から見て外方に向く座席支持コルプス１４の一方の側に支持面２０が配置されている。この支持面２０は、座席支持家具１０の対応する旋回運動中に使用者が立位座のために使用することができる。座席支持コルプス１４に沿った背もたれ１８と支持面２０との間を通る垂直な線に関して、背もたれ１８は凹状に構成され、支持面２０は凸状に構成される。
【００６２】
座席支持コルプス１４は、スタンド２４における単一ピボット２２に取り付けられている。単一ピボット２２は、座席支持コルプスをその周りに約９０度、図１の反時計方向に旋回させることができる水平軸２６を含む。
【００６３】
この種の旋回運動を水平軸２６の周りで支持するために、ガス圧力ばねとして構成されたばね２８が座席支持家具１０に配置されている。この場合、ばね２８は、第１の端部３０ａにおいて、関節軸３２ａを介してスタンド２４に関節式に取り付けられ、第２の端部３０ｂにおいて、第２の関節軸３２ｂによって、座席支持家具コルプス１４に関節式に取り付けられる。この場合のばね２８は、図１において予め張力を与えられた状態で示されたガス圧ばねとして構成される。
【００６４】
ばね２８の関節軸３２ａは、水平軸２６を通る水平な平面よりも座面１８からより離間して配置された水平ベース平面内に配置されている。ばね２８の関節軸３２ｂは、水平軸２６を通る水平な平面よりも水平軸２６の水平な平面から少し離間して配置された水平な移動面に位置づけられる。第１の端部位置では、移動面は、それが旋回運動に進むにつれて、第２の端部位置よりも小さな高さを有する。
【００６５】
水平軸２６からの関節軸３２ａ、３２ｂのこの高さオフセット装置は、予め張力が与えられたばね２８が、水平軸２６周りの時計回り方向の旋回運動を支持する座席支持コルプス１４にトルクを加えることができることを保証する。このようにして、ばね２８は、座席支持コルプス１４を図２に示す第２の端部位置１２ｂに容易に旋回させることができる。図２において、ばね２８は緩和状態にある。第２の端部位置１２ｂから第１の端部位置１２ａへの戻り旋回の間、ばね２８は、減衰作用を有し、それにより衝撃音または力が低減または減衰される。
【００６６】
図１に示す第１の端部位置１２ａと、図２に示す第２の端部位置１２ｂとの両方において、座席支持家具をロックするロック機構が設けられることが好ましく、これにより、偶発的な旋回運動が防止される。これを達成するために、ロック機構は旋回運動をブロックする。
【００６７】
この場合のスタンド２４は、高さ調節可能なスタンド２４として構成される。そのため、スタンド２４は、２つの部分からなる構成を有する。ばねシステム３４は、スタンド２４内に収容されており、ばねシステム３４は、高さ調節可能なばねシステム３４として構成され、座席支持家具１０の高さ調整を制御する。これを達成するために、ばねシステム３４は、スタンド２４の中央に収容され、そこに囲まれるため、視覚的により魅力的な外観が得られ、また、例えば、使用者の指が、ばねシステム３４の可動部分の間に容易に入り込んで、それにより使用者を傷つけることが防止される。この場合、ばねシステム３４の軸は、スタンド２４の垂直軸２４と一致する。
【００６８】
座席支持コルプス１４から見て外方に向くスタンド２４の下方領域には、５つのキャスターを備えた可動キャスターシステム３６がスタンド２４に取り付けられているので、座席支持家具１０は、従来のオフィスチェアのように、座面１６に座っている使用者によってベース上で迅速かつ簡単に動かすことができる。
【００６９】
ばねシステム３４は、停止機構３８を追加的に備えている。座席支持コルプス１４から見て外方に向くスタンド２４の一端には、図１に収縮状態で示されている停止機構３８の端部領域４０が配置されているので、平らなベースとの接触がなく、座席支持家具１０は可動キャスターシステム３６によって移動させることができる。
【００７０】
図２は、使用者が座面のために支持面２０を使用することができるように、その第２の端部位置１２ｂにある座席支持コルプス１４を示す。支持面２０は、図１の座面１６の水平な平面に実質的に平行に配置され、図２の座面１６は、図１の支持面２０の垂直な平面に実質的に平行に配置される。それは、座席支持コルプス１４が実質的に９０度の旋回角を通して移動したことを示す。
【００７１】
図１および図２の両方において、旋回運動の端部位置１２ａ、１２ｂの両方において、ばね２８の第１関節軸３２ａは、水平軸２６よりもキャスターシステム３６から少し離間して配置されたベース平面内に配置されている。図１および図２の両方において、旋回運動１２ａ、１２ｂの両端位置において、第２の関節軸３２ｂは、水平軸２６よりもキャスターシステム３６からさらに離間して配置されている。第２の端部位置１２ｂにおいて、背もたれ１８の表面から始まる垂線は、スタンド２４の広がりに平行な方向を指す。
【００７２】
第２の端部位置１２ｂにおいて、支持面２０は、スタンド上方に実質的に垂直に配置された初期点から始まり、キャスターシステム３６の方向の終点まで、僅かに傾斜した曲線を示し、結果的に立位座位置を快適にする。
【００７３】
図２において、高さ調節可能なばねシステム３４は伸長状態にあり；この場合、単一ピボット３２は、図１よりもキャスターシステム３６からさらに離間している。さらに、図２は、停止機構３８の端部領域４０が伸長状態にあることを示しており、停止機構３８は、キャスターシステム３６の水平な平面から見て外方に向く側として、水平軸２６を通る水平な平面から少なくとも正確に離間している。
【００７４】
したがって、停止機構３８の端部領域４０は、床またはベースに接触し、それによって、キャスターシステム３６の移動を防止するため、座席支持家具は、使用者が立位座のために支持面２０上に寄りかかるまたは腰を下ろしたときに固定位置を有する。これにより、座席支持家具１０が誤って転がってしまうことがなく、使用者の怪我の危険性が低減されることが保証される。この目的のために、停止機構３８の端部領域４０は、好ましくは硬質ゴム、プラスチックまたは同様の制動可能な材料のような材料で作られる。
【００７５】
図３は、座席支持家具１０を第１の端部位置１２ａにおける正面図として示す。この第１の端部位置１２ａでは、停止機構３８の端部領域４０が収縮されるため、座席支持家具１０はキャスターシステム３６によって移動することができる。
【００７６】
図４は、スタンド２４が図３と同じ高さにあり、ばねシステム３４によって下降したブロッキング位置にまだ移動されていない、第２の端部位置１２ｂの正面図での座席支持家具１０を示す。この状態では、座席支持家具１０は、支持面２０が通常の高さの成人には低すぎるので、立位座にはまだ完全には適していない。この状態では、座席支持家具１０は、キャスターシステム３６によって座席支持家具１０が立位座のために使用される好ましい位置まで床に沿って移動することができる。したがって、図４は、スタンド２４がまだ高さ調整されていないとき、停止機構３８の端部領域４０がさらに収縮することを示している。
【００７７】
図５は、図４とは対照的に、スタンド２４がばねシステム３４によって高さ調整されることで、キャスターシステム３６と支持面２０との間でより大きな距離が達成されている、第２の端部位置１２ｂの正面図としての座席支持家具１０を示す。座席支持家具１０は、立位座のために使用者が支持面２０を使用できるような高さに位置づけられている。座席支持家具１０が誤って移動するのを防止するために、停止機構３８の端部領域４０が伸長されることで、停止機構３８の端部領域４０がベースまたは床と接触することになり、可動キャスターシステムのブロックを開始するためのブレーキ効果を引き起こす。
【００７８】
図１は、座席支持コルプス１４が、座席支持コルプス１４の背もたれ１８から見て外方に向く側に配置されたカバー部分４２を含むことを示している。
この場合、カバー部分４２の表面は、支持面２０を形成する。図１において、カバー部分４２は、その収縮位置に示されているので、カバー部分４２の上端は、残りの座席支持コルプス１４を越えては伸びない。
【００７９】
図５は、部分的に伸長した位置にあるカバー部分４２を示し、図６は、完全に伸長した位置にあるカバー部分４２を示す。完全に伸長されたカバー部分４２は、座席支持コルプス１４およびカバー部分４２から部分的に形成された、延長された背もたれ１９が構成されていることを意味する。
【００８０】
カバー部４２は、摺動ガイドまたはガイド運動機構を介して座席支持コルプス１４に取り付けられてもよく、摺動ガイドまたはガイド運動機構は、座席支持コルプス１４の旋回運動に連結され、カバー部分３２は、終端位置に従って伸長または収縮する。
【００８１】
本発明は、以下のように機能する：使用者は、着座のために図１に示す第１の端部位置１２ａで座席支持家具１０を使用することができる。この第１の端部位置において、使用者は、カバー部４２によって伸長された背もたれ１９まで背もたれ１８を延ばすことができる。使用者が、立位座のために座席支持家具１０を図２に示す第２の端部位置１２ａで使用したい場合、例えば、ばね２８上に配置されたロックを解除することで、水平軸２６周りの旋回運動が解除される。ロックが解除された後、ばね２８は、第２の端部位置１２ｂへの旋回運動を支持するか、またはそれに対応して大きいばね力が選択される場合、旋回運動は、水平軸２６の周りで独立して行われ得る。
【００８２】
第２の端部位置では、座席支持家具１０は、まだ立位座のための適切な高さにはない。この場合、ばねシステム３４は、停止機構３８を所定の高さから垂直方向の押圧力によってのみトリガさせるような特性を示す。
【００８３】
最初に、端部位置１２ｂでの旋回運動の終わりに、座席支持家具１０はまだ高さ調整された高さ位置に上げられていないので、支持面２０に作用する垂直方向の力は、図４に示すように、停止機構４０の端部領域の伸長部まで延びていない。
【００８４】
その結果、ばねシステム３４は、スタンド２４を例えば図５の高さに対応する所望の高さに調整する。この高さは、ばねシステム３４が停止機構３８を伸長させることができる所定の高さを超える。支持面２０に垂直方向の力が加えられると、図５に示すように、停止機構３８の端部領域４０が伸長し、それによって可動キャスターシステムをブロックし、その結果、座席支持家具１０は、立位座のための確実な保持を提供する。この場合、ばねシステム２４は、高さ調整と、停止機構３８の端部領域４０を一定の高さ調整から正確に伸長させる特性との両方を提供する。
【００８５】
使用者は、座席支持家具１０を第２の端部位置１２ｂにロックすることができる。このロックを解除することにより、座席支持家具１０は、第２の端部位置１２ｂから第１の端部位置１２ａに戻り旋回することができる。この場合、ばね２８は旋回運動を減衰させる、すなわちばね２８は手動の旋回によって張力が与えられる。次のステップでは、使用者は停止機構３８を解除するため、座席支持家具１０をキャスターシステム３６によって再び移動させ、スタンド２４を所望の座席高さに調節する。
【図１】
0006545807.tif 000002
【図２】
0006545807.tif 000003
【図３】
0006545807.tif 000004
【図４】
0006545807.tif 000005
【図５】
0006545807.tif 000006
【図６】
0006545807.tif 000007
【図７】
0006545807.tif 000008